(57)【要約】  端子台（１０）、特にプリント回路基板すなわち「ＰＣＢ」の電気的接続のための端子台（１０）であって、少なくとも１本の電気ケーブルを収容するように構成された絶縁材料で作られた筐体（１）と、筐体（１）内で電気ケーブルを保持するよう構成された把持手段（２）とを備える端子台（１０）において、筐体（１）は、該筐体（１）に対して電気ケーブルを引き抜いたり挿入したりすることができるよう、把持手段（２）を作動させるように構成されていることを特徴とする。【選択図】図１
2019503045.tif 000002
【特許請求の範囲】
【請求項１】
端子台（１０）、特にプリント回路基板（２０）ないしは「ＰＣＢ」の電気的接続のための端子台（１０）であって、少なくとも１本の電気ケーブル（３０）を収容するように構成された絶縁材料で作られた筐体（１）と、前記筐体（１）内で前記少なくとも１本の電気ケーブル（３０）を保持するよう構成された把持手段（２）とを備える端子台（１０）において、
前記筐体（１）に圧力が加えられる形態において、前記筐体（１）が、該筐体（１）から前記少なくとも１本の電気ケーブル（３０）を引き抜くことができるよう、そして該筐体（１）内に前記少なくとも１本の電気ケーブル（３０）を挿入することができるよう、前記把持手段（２）を作動させるように構成されていることを特徴とする、端子台（１０）。
【請求項２】
前記把持手段（２）が、弾性タイプのものであり、前記少なくとも１本の電気ケーブル（３０）の一端を保持するように構成されていることを特徴とする、請求項１に記載の端子台（１０）。
【請求項３】
前記筐体（１）が、外部からアクセス可能である複数の凹所（１ａ，１ｂ）であって、それぞれが前記電気ケーブル及び前記把持手段（２）を収容するように構成されている複数の凹所（１ａ，１ｂ）を有することを特徴とする、請求項１又は２に記載の端子台（１０）。
【請求項４】
前記筐体（１）が、前記圧力を受けるように構成された弾性的に変形可能な上部部分（３）の外面を有し、前記外面に対応する前記筐体（１）の内側には少なくとも一つの突出部（１ｃ）があり、前記突出部（１ｃ）が、前記筐体（１）から突出し、前記把持手段（２）に当接されるようになっており、
前記突出部（１ｃ）が、前記外面に加えられた圧力を前記把持手段（２）に機械的に伝達し、該把持手段（２）の機能を失効させるように構成されており、前記把持手段（２）の機能の失効によって、前記筐体（１）に対する前記少なくとも１本の電気ケーブル（３０）の挿入又は取出しが可能とされることを特徴とする、請求項１〜３のいずれか一項に記載の端子台（１０）。
【請求項５】
前記筐体（１）が一体構造体であることを特徴とする、請求項１〜４のいずれか一項に記載の端子台（１０）。
【請求項６】
前記把持手段（２）が前記筐体（１）に固定可能なものであることを特徴とする、請求項１〜５のいずれか一項に記載の端子台（１０）。
【請求項７】
前記把持手段（２）が本体、好ましくは一体構造的な本体を備え、
前記本体が、前記少なくとも１本の電気ケーブル（３０）を支持するように構成された基部（２ｂ）と、該本体を前記筐体（１）に固定するために前記基部（２ｂ）に対して垂直である少なくとも二つの部分（２ａ）と、前記電気ケーブル（３０）を保持するために互いに協働するように構成された二つの部分（２ｃ）とを備えることを特徴とする、請求項２〜６のいずれか一項に記載の端子台（１０）。
【請求項８】
前記二つの部分（２ｃ）が、該二つの部分（２ｃ）が配置される前記凹所内に配置されたそれぞれ対応の突出部（１ｃ）によって離間され得るようになっていることを特徴とする、請求項７に記載の端子台（１０）。
【請求項９】
前記筐体（１）を前記把持手段（２）に連結するための連結システムを備え、
前記連結システムは、好ましくは、ピンを備えるもの、又は垂直方向にスライド可能なタイプのものであることを特徴とする、請求項１〜８のいずれか一項に記載の端子台（１０）。
【請求項１０】
請求項１〜９のいずれか一項に記載の端子台（１０）と、前記端子台（１０が適用される少なくとも一つのプリント回路基板（２０）と、前記端子台（１０）に挿入され、前記プリント回路基板（２０）に電力を供給するように構成された少なくとも１本の電気ケーブル（３０）とを備える組立体。
【発明の詳細な説明】
【技術分野】
【０００１】
本発明は、端子台、特にプリント回路基板、すなわちＰＣＢの電気接続のための端子台に関する。
【背景技術】
【０００２】
端子台は、プリント回路基板の頭文字をとったＰＣＢとして知られる電気プリント回路基板を電気ケーブルに接続して、回路上に存在するデバイスに電力を供給するためのものとして知られている。
【０００３】
公知の第１のタイプの端子台は、ボタンが付加されたものとして提供され、そのボタンを作動させることによって電気ケーブルの挿入又は引抜きが可能となる。したがって、前記ボタンは、端子台の外部にあり、特に端子台が使用される状況に関しては、しばしば嵩張る部品となる。さらに、ボタンは端子台に対して別個の部品であるため、偶発的に脱落して紛失するおそれがある。
【０００４】
この付加的なボタンを使用することによって生じるさらなる問題点は、前記ボタンを作動させることができるようにするために補助装置、例えばねじ回しを使用する必要があることに起因し、これによって、配線作業が不便になるということである。
【０００５】
他の既知の端子台は、端子台の本体自体に設けられた弾性ヒンジを使用するというものである。
【０００６】
いかなる場合も、端子台の枢支された部分は非常に脆く、わずかな回数、作動させただけで破損することがある。
【発明の概要】
【０００７】
本発明の目標は、上記の背景技術における制約を克服するために、より堅牢であり、寸法的に比較的控えめで、使用し易い端子台を提案することにある。
【０００８】
この目標の範囲内で、本発明の目的は、電気ケーブルの挿入を簡単にし、望ましくない脱落を防止するような端子台を提供することにある。
【０００９】
本発明の他の目的は、例えばねじ回しのような、端子台の外部にある工具に依存することなく、配線を可能にするよう構成された端子台を提供することにある。
【００１０】
本発明のさらに他の目標は、構造が簡単で、実施が比較的容易であり、使用に際して安全であり、操作上有効であり、さらに、比較的廉価である端子台を提供することにある。
【００１１】
以下でより明らかとなろう上記目標及び目的、その他の目的は、請求項１に記載の端子台及び請求項１０に記載の組立体によって達成される。
【００１２】
この端子台はプリント回路基板、ＰＣＢ上で用いられ得ることが有効である。
【００１３】
また、端子台は機械的な応力に対して耐性を有していることが好適である。
【００１４】
本発明のさらなる特徴及び利点は、非限定的な例として与えられ対応する図を伴った以下の詳細な説明からより明らかになるであろう。
【図面の簡単な説明】
【００１５】
【図１】本発明による端子台の分解斜視図である。
【図２】本発明による端子台の別の分解斜視図である。
【図３】本発明による端子台の斜視図である。
【図４】使用のための第１の形態にある、本発明による端子台の水平断面図である。
【図５】使用のための第１の形態にある、本発明による端子台の横方向の断面図である。
【図６】使用のための第１の形態にある、本発明による端子台の長手方向の断面図である。
【図７】使用のための第２の形態にある、本発明による端子台の横方向の断面図である。
【図８】使用のための第２の形態にある、本発明による端子台の部分的に断面した平面図である。
【図９】使用のための第３の形態にある、本発明による端子台の横方向の断面図である。
【図１０】使用のための第３の形態にある、本発明による端子台の部分的に断面下平面図である。
【発明を実施するための形態】
【００１６】
本発明の主題である例示的な構造が、図１の分解斜視図に概して示されており、端子台の全体が参照番号１０によって示されている。
【００１７】
端子台１０は、筐体１と、把持手段２とを備えている。
【００１８】
筐体１は、例えばプラスチック等の絶縁材料から作られており、少なくとも１本の電気ケーブル３０を受け入れるように構成されている。
【００１９】
筐体１は、電気ケーブル３０をそれぞれ受け入れるように形作られた複数の凹所が設けられている。
【００２０】
図では、筐体１は、二つの凹所１ａ，１ｂを備える形態を有し、これらの凹所に、２本の対応の電気ケーブル３０を挿入することができる。なお、特定の条件に応じて凹所の数が変わることは理解されたい。
【００２１】
いかなる場合も、前記凹所の各々は、電気ケーブル３０及び把持手段２を収容するように構成される。
【００２２】
筐体１は、弾性変形可能な上部部分３の外面を有しており、その部分に対して、端子台１０の長手方向に対して直角である圧力を、例えば指によって加えることができる。
【００２３】
筐体１の内側には、各凹所１ａ、１ｂに関し、したがって把持手段２のそれぞれに関し、把持手段２に当接するように構成された突起部１ｃが設けられている。
【００２４】
より詳細には、突起部１ｃは、筐体１の外面に加えられた圧力を把持手段２に機械的に伝え、把持手段２の機能を失効させるようになっている。
【００２５】
言い換えるならば、筐体１の外面に十分な圧力があることに応じて、把持手段２は機能を失効し、筐体１の凹所内での電気ケーブル３０の挿入又は引抜きを行うことができる。
【００２６】
圧力が存在しない場合、或いは、いずれにしても十分な値の圧力ではない場合、把持手段２は機能し、凹所内で電気ケーブルを、それが把持手段にあるならば、保持し、ないならば、その挿入が阻止される。
【００２７】
突起部１ｃは、筐体１と一体的に形成されている。すなわち、突起部１ｃは筐体１と一体構造体（ｍｏｎｏｌｉｔｈｉｃ）をなしている。
【００２８】
筐体１は一体構造体であるので、個々独立の部品、又は折曲げのような機械的応力を受ける部品を有するものよりも強度があるという利点がある。
【００２９】
把持手段２は、筐体１の凹所にて電気ケーブル３０を保持するように構成され、筐体１によって作動された場合には、電気ケーブル３０の解放を可能にするように構成されている。好ましい実施形態では、把持手段２は、筐体１の凹所内に配置されるように構成された本体を備える。この本体には、少なくとも部分的に電気ケーブル３０を支持すると共に、電気ケーブル３０と、端子台１０が固定され得るプリント回路基板２０（ＰＣＢ）との間に配置されるよう構成された基部２ｂを備える。
【００３０】
特に、基部２ｂは基板２０に溶接することができる。
【００３１】
把持手段２の本体は、筐体１に固定するために基部２ｂに対して垂直な二つの部分２ａをさらに備える。
【００３２】
最後に、把持手段２の本体は弾性構成要素を備え、この要素はばね構造のように形成されることができ、電気ケーブル３０をブロックするように構成され、それによって対応の突起部１ａによって適切に作動される場合にのみその取外しが可能とされる。
【００３３】
特に、弾性構成要素は二つの部分２ｃを含み、これらの部分２ｃは、電気ケーブル３０のアクセス又は取出しを可能にするために、対応の突起部１ｃから離間されている。好ましくは、これらの二つの部分２ｃは鏡映対称であり、略Ｖ字形状となっている。
【００３４】
本発明による端子台１０の動作は以下の通りである。
【００３５】
まず、端子台１０は、プリント回路基板２０上に、例えば溶接により配置される。
【００３６】
この状態では、端子台１０は、図４及び図５に示すように、使用のための第１形態、すなわち非アクティブであり、二つの部分２ｃは分離されていない。
【００３７】
図９及び図１０の矢印で示されるように、筐体１に圧力が加えられると、二つの部分２ｃは、図７に示すように、対応の突起１ｃによって分離される。
【００３８】
次いで、電気ケーブル３０が挿入される。
【００３９】
筐体１への圧力付与がなくなると、図１０に示すように、二つの部分２ｃが閉じて、挿入された電気ケーブル３０が把持される。
【００４０】
電気ケーブル３０を取り外さなければならない場合には、再び、筐体に圧力を加え、構成要素２ｃを分離させ、電気ケーブル３０を引き抜くだけでよい、
【００４１】
このように、上記の方法及びシステムが意図された目標及び目的を達成することが示されている。
【００４２】
特に、前述したように創案された端子台１０は、作動ボタンの機能を有する筐体１によって背景技術のその性質上の制限を克服することを可能とし、これは、把持手段２と協働することで迅速且つ効果的な配線が可能となることが示されている。
【００４３】
多くの変更が可能なことは明白であり、そのような変更は、本発明の保護範囲を逸脱することなく、当業者によってすぐに実施され得る。
【００４４】
例えば、把持手段２と筐体１との間の機械的結合のためのシステムは、色々な態様で、例えばピンによって、又は垂直スライドによって設けられ得る。
【００４５】
さらに、端子台は、様々な接続装置に一体化されるように容易に適合され得る。
【００４６】
したがって、特許請求の範囲の保護範囲は、例として記載された例示又は好ましい実施形態によって制限されるべきではなく、特許請求の範囲は、本発明に含まれる特許可能な新規なすべての特徴を備え、当業者によって均等物として扱われるすべての特徴を有するものでなければならない。
【００４７】
本願は、イタリア特許出願番号第１０２０１５００００８５５３７（ＵＢ２０１５Ａ００９５８４）の優先権を主張し、このイタリア特許出願は参照により本明細書に援用される。
【００４８】
特許請求の範囲に記載された技術的特徴の後に参照符号を付した場合、それらの参照符号は、特許請求の範囲の明瞭性を高める目的のためにのみ付されたものであり、したがって、そのような参照符号は、そのような参照符号によって例示される各要素の解釈に限定的な影響を与えるものではない。
【図１】
2019503045.tif 000003
【図２】
2019503045.tif 000004
【図３】
2019503045.tif 000005
【図４】
2019503045.tif 000006
【図５】
2019503045.tif 000007
【図６】
2019503045.tif 000008
【図７】
2019503045.tif 000009
【図８】
2019503045.tif 000010
【図９】
2019503045.tif 000011
【図１０】
2019503045.tif 000012
【国際調査報告】
2019503045.tif 000013
2019503045.tif 000014
2019503045.tif 000015